(57)【要約】【課題】操作部における操作に応じて、動作対象に関する位置情報が特徴づけられるように表示部の表示態様を変化、即ち、強調表示させることで、操作者が操作部において操作を行う際に、表示部の動作対象に関する位置情報を容易に認識することのできるＸ線ＣＴ装置を提供する。【解決手段】操作部２１における操作内容は、スイッチ信号としてコントローラ２４に送られる。コントローラ２４は、これを制御部３０へ転送すると共に、そのスイッチ信号に対応する表示部２２の部分の輝度を変更するように輝度変更回路２５に輝度変更指示信号を送る。輝度変更回路２５は、輝度変更指示信号に従って表示部２２の該当する部分の輝度を変更させるべく、例えば各表示部２２（２２ａ〜２２ｄ）を構成する７セグメントＬＥＤユニット２２０に供給される電流値を可変抵抗により調整することで輝度の変更を行う。【選択図】      図３
2004147983.tif 000002
【特許請求の範囲】
【請求項１】
被検体を載置する天板を有する寝台と、
前記被検体が挿入される孔部と、前記孔部に挿入される被検体に対してＸ線を照射するＸ線管及び前記被検体を透過するＸ線を検出する検出器を有する架台と、
前記寝台及び前記架台の少なくとも一方の移動操作を行うための操作部と、
前記寝台及び前記架台の少なくとも一方の複数種類の位置情報を表示する表示部と、
前記表示部に表示される複数種類の位置情報のうち、前記操作部における移動操作に関係する位置情報の表示態様を前記移動操作に無関係の位置情報の表示態様に比べて異なるように表示させる表示制御部を備えることを特徴とするＸ線ＣＴ装置。
【請求項２】
前記表示部は、前記天板の位置情及び前記架台の位置情報を表示することを特徴とする請求項１に記載のＸ線ＣＴ装置。
【請求項３】
前記表示部は、前記天板の水平方向及び垂直方向の位置情報を表示することを特徴とする請求項２に記載のＸ線ＣＴ装置。
【請求項４】
前記表示部は、前記架台のチルト角に関する情報を表示することを特徴とする請求項２に記載のＸ線ＣＴ装置。
【請求項５】
前記架台は、前記被検体上に撮影スライス位置を示す光を投影する投光器をさらに有し、
前記表示部は、前記投光器に関する位置情報を表示することを特徴とする請求項１乃至請求項４の何れか一項に記載のＸ線ＣＴ装置。
【請求項６】
前記表示制御部は、前記操作部により前記天板の移動操作が行われている間、前記天板の位置情報を、前記架台の位置情報に比べて強調表示することを特徴とする請求項２に記載のＸ線ＣＴ装置。
【請求項７】
前記操作部及び前記表示部は、前記架台に設けられることを特徴とする請求項１乃至請求項６の何れか一項に記載のＸ線ＣＴ装置。
【請求項８】
前記操作部は、前記架台の第１の領域に複数種の操作スイッチを密集させて設け、前記表示部は、前記第１の領域に近接する第２の領域において前記操作スイッチの操作に応答して数値が変化する複数の表示器を密集させて設けたことを特徴とする請求項１乃至請求項７の何れか一項に記載のＸ線ＣＴ装置。
【請求項９】
前記表示制御部は、前記天板の位置情報を、前記架台の位置情報と異なる輝度にて表示することを特徴とする請求項１乃至請求項８の何れか一項に記載のＸ線ＣＴ装置。
【請求項１０】
前記表示制御部は、前記天板の位置情報を、前記架台の位置情報と異なる色にて表示することを特徴とする請求項１乃至請求項８の何れか一項に記載のＸ線ＣＴ装置。
【請求項１１】
前記表示制御部は、前記天板の位置情報のみを点滅させて表示することを特徴とする請求項１乃至請求項８の何れか一項に記載のＸ線ＣＴ装置。
【請求項１２】
前記天板及び前記架台の位置情報は、前記天板並びに前記架台の形状及び移動方向を絵文字により表現した印を含むことを特徴とする請求項１乃至請求項１１の何れか一項に記載のＸ線ＣＴ装置。
【請求項１３】
前記天板及び前記架台の位置情報は、前記天板並びに前記架台の当該Ｘ線ＣＴ装置における位置及び移動方向を絵文字により表現した画像を含むことを特徴とする請求項１乃至請求項１２の何れか一項に記載のＸ線ＣＴ装置。
【発明の詳細な説明】
【０００１】
【発明の属する技術分野】
本発明は、Ｘ線ＣＴ装置に関し、より詳しくは、寝台や架台の位置情報を表示する表示部を備えるＸ線ＣＴ装置に関するものである。
【０００２】
【従来の技術】
図９に、従来のＸ線ＣＴ装置の全体構成を表す斜視図を示す。同図に示すように、当該Ｘ線ＣＴ装置は、被検体を載置するための天板１１と、この天板１１を水平方向（図に示す矢印方向）及び垂直方向に移動させる寝台１と、ＣＴ透視を行うためにＸ線管及びＸ線検出器等からなるＸ線機器を回転移動させると共に、これを天板１１の長手方向に沿って傾斜（これを、チルトと称する）させる架台２と、寝台１及び架台２の移動操作を行うための操作盤３と、Ｘ線機器からの情報を基に作成された断層画像及び付帯情報等の画面表示に関する制御を行うコンソール４と、これらの断層画像及び付帯情報等を表示するモニタ５等から構成されている。
【０００３】
また、架台２のトンネル部２ａの上面には、被検体上に光を投影することでＸ線機器による撮影位置（撮影スライス位置）を指示す、図示しない投光器が設けられ、Ｘ線機器と同じく、これを天板１１の長手方向に沿って傾斜（チルト）させることが可能になっている。
【０００４】
さらに、架台２のトンネル部２ａの前面両側位置には、操作盤３と同じく寝台１及び架台２の移動操作を行うための操作パネル２０が設けられている。操作者は、この操作パネル２０の操作を行うことで、天板１１に載置される被検体の両側面側から、被検体に対するケアを行いつつ、寝台１及び架台２の移動操作を行うことが可能となっている。このような構成は、Ｘ線ＣＴ装置においては一般的であり（例えば、特許文献１及び特許文献２参照）、例えば、被検体を支持しつつスキャンを行う場合や、点滴吊り具等の補助器具の取り回しに気を配りつつスキャンを行う場合などに有効な構成となっている。
【０００５】
図１０に、操作パネル２０の詳細構成を表す正面図を示す。同図に示すように、操作パネル２０は、Ｘ線機器の傾斜角度（これを、チルト角度と称する）を調整するためのＸ線機器操作部２１ａと、投光器の傾斜角度を調整するための投光器操作部２１ｂと、天板１１の水平移動を行うための天板水平操作部２１ｃと、天板１１の垂直移動を行うための天板垂直操作部２１ｄとを備える操作部２１と、これら操作部２１（２１ａ〜２１ｄ）に対応して隣接する位置に設けられ、各々の動作対象であるＸ線機器、天板１１及び投光器に関する位置情報を表示するための表示部２２ａ〜２２ｄを備える表示部２２とから構成されている。このような構成により、操作者は、操作部２１（２１ａ〜２１ｄ）において操作を行う際には、直ちに、これに対応するＸ線機器、天板１１及び投光器に関する位置情報を確認することができるようになっている。さらに、各表示部２２ａ〜２２ｄにおいては、動作対象となるＸ線機器、天板１１及び投光器を絵文字等により表した印（これを、ピクトと称する）が併せて表示され、操作者が操作部２１（２１ａ〜２１ｄ）の操作を行う際に、その動作対象を認識し易くする配慮がなされている。
【０００６】
尚、操作部２１（２１ａ〜２１ｄ）は、押しボタンスイッチ等の操作スイッチにより構成される。また、表示部２２（２２ａ〜２２ｄ）は、動作対象であるＸ線機器、天板１１及び投光器に関する位置情報を、その移動量（数値）をもって表示するために、７セグメントＬＥＤユニット等の表示器により構成される。
【０００７】
【特許文献１】
特開２０００−３４２５７１号公報
（段落〔０００２〕‐〔０００３〕、第５図）
【特許文献２】
特開２００１−１８７０４９号公報
（段落〔０００２〕‐〔０００５〕、第４図及び第５図）
【０００８】
【発明が解決しようとする課題】
ところで、このような操作パネル２０においては、操作部２１（２１ａ〜２１ｄ）と表示部２２（２２ａ〜２２ｄ）とが互いに対応して隣接する位置に設けられるために、特に、これらが多数の項目を含み構成される場合には、例えば、図１０に示すＸ線機器操作部２１ａと天板垂直操作部２１ｄのように、同じ操作部２１を構成する項目であっても、それらは互いに離れた位置に設けられることとなった。従って、例えばＸ線機器のチルト角度を調整した後、天板１１の垂直移動を行うといった場合には、まず、Ｘ線機器操作部２１ａに手をやり、Ｘ線機器のチルト角度を調整した後、次に、天板垂直操作部２１ｄに手をやり、天板１１の垂直移動を行うといった操作位置の移動を伴う操作を行う必要があった。
【０００９】
そこで、このような操作位置の移動を伴う操作を極力少なくして、操作部２１の操作性を向上させるために、操作部２１（２１ａ〜２１ｄ）と表示部２２（２２ａ〜２２ｄ）とを互いに近接する位置に分けて配置することが考えられる。このような場合には、操作部２１の構成の自由度が向上することから、例えば、天板水平操作部２１ｃと天板垂直操作部２１ｄとを十字キー等により１つの操作部として構成することで、操作部２１の操作性をより向上させることが可能となる。
【００１０】
ところが、このような場合には、操作部２１（２１ａ〜２１ｄ）と表示部２２（２２ａ〜２２ｄ）とが分かれた位置に配置されるため、操作部２１（２１ａ〜２１ｄ）と表示部２２（２２ａ〜２２ｄ）との対応関係が分かりづらくなる問題が生じる。特に、操作部２１（２１ａ〜２１ｄ）と表示部２２（２２ａ〜２２ｄ）とが多数の項目を含み構成される場合には、スペース効率等の観点から、各項目は隣接する位置に配置されるため、操作者は、操作部２１（２１ａ〜２１ｄ）において操作を行った動作対象（Ｘ線機器、天板１１及び投光器）の位置情報（移動量）が表示部２２（２２ａ〜２２ｄ）の何れの項目において表示されているのかを認識することが困難になる。
【００１１】
本発明は、上記事情に鑑みてなされたものであり、その目的とするところは、操作部における操作に応じて、動作対象に関する位置情報が特徴づけられるように表示部の表示態様を変化、即ち、強調表示させることで、操作者が操作部において操作を行う際に、表示部の動作対象に関する位置情報を容易に認識することのできるＸ線ＣＴ装置を提供することにある。
【００１２】
【課題を解決するための手段】
上記課題を解決するために、請求項１記載の発明は、被検体を載置する天板を有する寝台と、前記被検体が挿入される孔部と、前記孔部に挿入される被検体に対してＸ線を照射するＸ線管及び前記被検体を透過するＸ線を検出する検出器を有する架台と、前記寝台及び前記架台の少なくとも一方の移動操作を行うための操作部と、前記寝台及び前記架台の少なくとも一方の複数種類の位置情報を表示する表示部と、前記表示部に表示される複数種類の位置情報のうち、前記操作部における移動操作に関係する位置情報の表示態様を前記移動操作に無関係の位置情報の表示態様に比べて異なるように表示させる表示制御部を備えることを特徴とする。
【００１３】
また、請求項２記載の発明は、請求項１に記載のＸ線ＣＴ装置であって、前記表示部は、前記天板の位置情及び前記架台の位置情報を表示することを特徴とする。
【００１４】
また、請求項３記載の発明は、請求項２に記載のＸ線ＣＴ装置であって、前記表示部は、前記天板の水平方向及び垂直方向の位置情報を表示することを特徴とする。
【００１５】
また、請求項４記載の発明は、請求項２に記載のＸ線ＣＴ装置であって、前記表示部は、前記架台のチルト角に関する情報を表示することを特徴とする。
【００１６】
また、請求項５記載の発明は、請求項１乃至請求項４の何れか一項に記載のＸ線ＣＴ装置であって、前記架台は、前記被検体上に撮影スライス位置を示す光を投影する投光器をさらに有し、前記表示部は、前記投光器に関する位置情報を表示することを特徴とする。
【００１７】
また、請求項６記載の発明は、請求項２に記載のＸ線ＣＴ装置であって、前記表示制御部は、前記操作部により前記天板の移動操作が行われている間、前記天板の位置情報を、前記架台の位置情報に比べて強調表示することを特徴とする。
【００１８】
また、請求項７記載の発明は、請求項１乃至請求項６の何れか一項に記載のＸ線ＣＴ装置であって、前記操作部及び前記表示部は、前記架台に設けられることを特徴とする。
【００１９】
また、請求項８記載の発明は、請求項１乃至請求項７の何れか一項に記載のＸ線ＣＴ装置であって、前記操作部は、前記架台の第１の領域に複数種の操作スイッチを密集させて設け、前記表示部は、前記第１の領域に近接する第２の領域において前記操作スイッチの操作に応答して数値が変化する複数の表示器を密集させて設けたことを特徴とする。
【００２０】
また、請求項９記載の発明は、請求項１乃至請求項８の何れか一項に記載のＸ線ＣＴ装置であって、前記表示制御部は、前記天板の位置情報を、前記架台の位置情報と異なる輝度にて表示することを特徴とする。
【００２１】
また、請求項１０記載の発明は、請求項１乃至請求項８の何れか一項に記載のＸ線ＣＴ装置であって、前記表示制御部は、前記天板の位置情報を、前記架台の位置情報と異なる色にて表示することを特徴とする。
【００２２】
また、請求項１１記載の発明は、請求項１乃至請求項８の何れか一項に記載のＸ線ＣＴ装置であって、前記表示制御部は、前記天板の位置情報のみを点滅させて表示することを特徴とする。
【００２３】
また、請求項１２記載の発明は、請求項１乃至請求項１１の何れか一項に記載のＸ線ＣＴ装置であって、前記天板及び前記架台の位置情報は、前記天板並びに前記架台の形状及び移動方向を絵文字により表現した印を含むことを特徴とする。
【００２４】
また、請求項１３記載の発明は、請求項１乃至請求項１２の何れか一項に記載のＸ線ＣＴ装置であって、前記天板及び前記架台の位置情報は、前記天板並びに前記架台の当該Ｘ線ＣＴ装置における位置及び移動方向を絵文字により表現した画像を含むことを特徴とする。
【００２５】
【発明の実施の形態】
以下、本発明に係るＸ線ＣＴ装置の好適な一実施形態について、図面を参照しながら具体的に説明する。尚、以下に説明する図においては、図９に示す従来のＸ線ＣＴ装置と同様の構成をなす部分に関して、同一の符号を付してある。
【００２６】
［第一の実施形態］
図１に、本実施形態におけるＸ線ＣＴ装置の全体構成を表す斜視図を示す。同図に示すように、当該Ｘ線ＣＴ装置は、被検体を載置するための天板１１と、この天板１１を水平方向（図に示す矢印方向）及び垂直方向に移動させる駆動部１２を有する寝台１と、ＣＴ透視を行うためにＸ線管及びＸ線検出器等からなるＸ線機器を回転移動させると共に、これを天板１１の長手方向に沿って傾斜（これを、チルトと称する）させる駆動部２８を有する架台２と、寝台１の駆動部１２及び架台２の駆動部２８の駆動操作を行うための操作盤３と、Ｘ線機器からの情報に基づいて作成された断層画像及び付帯情報等の画面表示に関する制御を行うコンソール４と、これらの断層画像及び付帯情報等を表示するモニタ５等から構成されている。
【００２７】
また、架台２のトンネル部２ａの上面には、被検体上に光を投影することでＸ線機器による撮影位置（撮影スライス位置）を指示す、図示しない投光器が設けられ、Ｘ線機器と同じく、これを天板１１の長手方向に沿って傾斜（チルト）させることが可能となっている。
【００２８】
さらに、架台２のトンネル部２ａの前面両側位置には、操作盤３と同じく寝台１及び架台２の移動操作を行うための操作パネル２０が設けられている。操作者は、この操作パネル２０の操作を行うことで、天板１１に載置される被検体の両側面側から、被検体に対するケアを行いつつ、寝台１の駆動部１２及び架台２の駆動部２８の駆動操作、即ち、天板１１、Ｘ線機器、投光器の移動操作を行うことが可能となっている。このような構成は、例えば、被検体を支持しつつスキャンを行う場合や、点滴吊り具等の補助器具の取り回しに気を配りつつスキャンを行う場合などに有効な構成となっている。
【００２９】
図２に、操作パネル２０の詳細構成を表す正面図を示す。同図に示すように、操作パネル２０は、Ｘ線機器の傾斜角度（これを、チルト角度と称する）を調整するためのＸ線機器操作部２１ａと、投光器の傾斜角度（チルト角度）を調整するための投光器操作部２１ｂと、天板１１の水平移動及び天板１１の垂直移動を行うための天板操作部２１ｅとを備える操作部２１と、この操作部２１の近接する位置に設けられ、その各々（２１ａ、２１ｂ、２１ｅ）に対応して、動作対象であるＸ線機器、天板１１及び投光器に関する位置情報を表示する表示部２２（２２ａ〜２２ｄ）とから構成されている。このような構成により、操作者は、操作部２１（２１ａ、２１ｂ、２１ｅ）における操作に応じて、直ちにＸ線機器、天板１１及び投光器に関する位置情報を確認することができるようになっている。但し、天板操作部２１ｅは、天板１１の水平移動に加えて天板１１の垂直移動も行うため、これに応じて、表示部２２には、天板１１の水平位置情報を表示する表示部２２ｃと、天板１１の垂直位置情報を表示する表示部２２ｄとを設けている。尚、操作部２１には、この他にも、例えば被検体に対して呼吸に関する音声ガイド等を行うためのブレスナビボタン、天板１１を最上位置まで上昇させる天板上昇ボタン、天板１１を最下位置まで下降させる天板下降ボタン等の各種ボタン２１ｆを設けている。尚、Ｘ線機器のチルト角度は、本発明の「架台のチルト角度」に対応する。
【００３０】
このように、当該Ｘ線ＣＴ装置においては、操作パネル２０の操作部２１（２１ａ、２１ｂ、２１ｅ）と表示部２２（２２ａ〜２２ｄ）とが各々密集して配置されるので、操作部２１の構成に自由度を持たせることができ、例えば、本例のように天板１１の水平移動を行う操作部と天板１１の垂直移動を行う操作部とを１つの天板操作部２１ｅとして十字配列のキーにより構成することで、天板１１の水平移動と垂直移動とを連続して行うことも可能となり、操作部２１の操作性をより向上させることができる。
【００３１】
さらに、各表示部２２ａ〜２２ｄにおいては、動作対象となるＸ線機器、天板１１及び投光器を絵文字等により表した印（これを、ピクトと称する）２３（２３ａ〜２３ｄ）が併せて表示され、操作者が操作部２１（２１ａ、２１ｂ、２１ｅ）の操作を行う際に、その動作対象（Ｘ線機器、天板１１及び投光器）の位置情報が表示部２２（２２ａ〜２２ｄ）の何れに表示されるのかを認識し易くする配慮がなされている。尚、ピクト２３（２３ａ〜２３ｄ）は、本発明の「印」に対応する。
【００３２】
尚、操作部２１（２１ａ〜２１ｄ）は、押しボタンスイッチ等の操作スイッチにより構成される。また、表示部２２（２２ａ〜２２ｄ）は、動作対象であるＸ線機器、天板１１及び投光器に関する位置情報を、その移動量（数値）をもって表示するために、７セグメントＬＥＤユニット等の表示器により構成される。
【００３３】
ところで、図２に示したように、当該Ｘ線ＣＴ装置においては、操作パネル２０の操作部２１（２１ａ、２１ｂ、２１ｅ）と表示部２２（２２ａ〜２２ｄ）とが各々密集して設けられ、互いに別の位置に設けられているため、前述のように、各操作部２１（２１ａ、２１ｂ、２１ｅ）と各表示部２２（２２ａ〜２２ｄ）との対応関係が分かりづらくなる問題が生じる。特に、操作部２１（２１ａ、２１ｂ、２１ｅ）と表示部２２（２２ａ〜２２ｄ）の各々は、スペース効率等の観点から、図２に示すように、各項目が隣接する位置に配置されることになるため、操作者は、操作部２１において操作を行った動作対象（Ｘ線機器、天板１１及び投光器）に関する移動量が表示部２２（２２ａ〜２２ｄ）何れの項目において表示されているのかを認識することは困難となる。
【００３４】
そこで、当該Ｘ線ＣＴ装置においては、操作部２１（２１ａ、２１ｂ、２１ｅ）における操作に応じて、表示部２２（２２ａ〜２２ｄ）の動作対象に関する位置情報、或いは、動作対象を除く他の位置情報の表示態様を変化させることで、即ち、動作対象に関する位置情報を強調表示することで、操作者が、操作部２１において操作を行う際に、動作対象に関する位置情報が表示部２２（２２ａ〜２２ｄ）の何れの項目に表示されているのかを容易に認識できるようにする。
【００３５】
（例１：輝度調整を行う場合）
図３に、このような表示部２２（２２ａ〜２２ｄ）の表示制御を行うための一制御構成を示す。同図に示すように、本例においては、操作者が操作部２１（２１ａ、２１ｂ、２１ｅ）において操作を行うと、その操作内容はスイッチ信号としてコントローラ２４に送られる。コントローラ２４は、そのスイッチ信号を制御部３０へ送ると共に、スイッチ信号に対応する表示部２２（２２ａ〜２２ｄ）の輝度を変更するように輝度変更回路２５に輝度変更指示信号を送る。尚、此処に言う制御部３０とは、当該Ｘ線ＣＴ装置の全体制御を行うものであって、当該制御構成においては、コントローラ２４から送られたスイッチ信号に基づいて寝台１の駆動部１２及び架台２の駆動部２８の駆動制御を行う。これにより、操作部２１（２１ａ、２１ｂ、２１ｅ）における操作に応じた天板１、Ｘ線機器及び投光器の移動がなされることになる。輝度変更回路２５は、コントローラ２４から送られた輝度変更指示信号に従って該当する表示部２２（２２ａ〜２２ｄ）の輝度を変更するべく、例えば図４に示すように、各表示部２２（２２ａ〜２２ｄ）を構成する７セグメントＬＥＤユニット２２０に供給される電流値を可変抵抗Ｒにより調整することで輝度の変更を行う。尚、このような輝度変更は、該当する表示部２２（２２ａ〜２２ｄ）の輝度を上げる、或いは、落とすものであっても良いし、また、該当する表示部２２（２２ａ〜２２ｄ）を除く他の表示部２２（２２ａ〜２２ｄ）の輝度を上げる、或いは、落とすものであっても良い。また、この輝度変更は、ピクト２３（２３ａ〜２３ｄ）に関しても行っても良いし、また、ピクト２３（２３ａ〜２３ｄ）に対してのみ行っても良い。尚、コントローラ２４と輝度変更回路２５とで、本発明の「表示制御部」を構成する。
【００３６】
一方で、制御部３０は、図示しないセンサにより天板１、Ｘ線機器及び投光器の位置情報を取得して、その位置情報をコントローラ２４に送る。コントローラ２４は、制御部３０から送られた天板１、Ｘ線機器及び投光器の位置情報を該当する表示部２２（２２ａ〜２２ｄ）に送る。該当する表示部２２（２２ａ〜２２ｄ）では、コントローラ２４から送られた位置情報に基づいて表示の変更、即ち移動量を表す数値の変更が行われる。
【００３７】
さらに、操作者が操作部２１（２１ａ、２１ｂ、２１ｅ）において操作を終了した場合には、操作部２１からのスイッチ信号が途絶えることで、或いは、制御部３０からの位置情報に基づいて、コントローラ２４が操作の終了を判断して、輝度変更が行われた表示部２２（２２ａ〜２２ｄ）の輝度を元に戻すように輝度変更回路２５に輝度変更指示信号を送る。輝度変更回路２５は、コントローラ２４から送られた輝度変更指示信号に従って該当する表示部２２（２２ａ〜２２ｄ）の輝度を元に戻すべく、例えば図４に示すように、各表示部２２（２２ａ〜２２ｄ）を構成する７セグメントＬＥＤユニット２２０に供給される電流値を可変抵抗Ｒにより調整することで輝度の変更を行う。
【００３８】
このように、当該Ｘ線ＣＴ装置においては、操作部２１（２１ａ、２１ｂ、２１ｅ）における操作に応じて、該当する表示部２２（２２ａ〜２２ｄ）の位置情報、或いは、該当する表示部２２（２２ａ〜２２ｄ）の位置情報を除く他の位置情報の輝度の調整が行われるので、操作者は、他と異なる輝度の表示部２２（２２ａ〜２２ｄ）を直ちに発見することができ、自身が操作を行った動作対象（天板１、Ｘ線機器及び投光器）の位置情報が、表示部２２（２２ａ〜２２ｄ）の何れに表示されているのかを容易に認識することができる。
【００３９】
（例２：色変更を行う場合）
図５に、このような表示部２２（２２ａ〜２２ｄ）の表示制御を行うための他の制御構成を示す。同図に示すように、本例においては、操作者が操作部２１（２１ａ、２１ｂ、２１ｅ）において操作を行うと、その操作内容はスイッチ信号としてコントローラ２４に送られる。コントローラ２４は、そのスイッチ信号を制御部３０へ送ると共に、スイッチ信号に対応する表示部２２（２２ａ〜２２ｄ）の色、即ち、表示色を変更するように色変更回路２６に色変更指示信号を送る。尚、此処に言う制御部３０とは、当該Ｘ線ＣＴ装置の全体制御を行うものであって、当該制御構成においては、コントローラ２４から送られたスイッチ信号に基づいて寝台１の駆動部１２及び架台２の駆動部２８の駆動制御を行う。これにより、操作部２１（２１ａ、２１ｂ、２１ｅ）における操作に応じた天板１、Ｘ線機器及び投光器の移動がなされることになる。色変更回路２６は、コントローラ２４から送られた色変更指示信号に従って該当する表示部２２（２２ａ〜２２ｄ）の表示色を変更するべく、例えば、各表示部２２（２２ａ〜２２ｄ）を構成する７セグメントＬＥＤユニットの赤ＬＥＤ又は緑ＬＥＤに供給される電流の切り替えを行うことで表示色の変更を行う。即ち、本例においては、各表示部２２（２２ａ〜２２ｄ）を構成する７セグメントＬＥＤユニットが、赤と緑の２色表示が可能なもので構成されており、色変更回路２６は、この７セグメントＬＥＤユニットの赤ＬＥＤ系又は緑ＬＥＤ系に供給される電流の切り替えを行うことで表示色の変更を行う。尚、この色変更は、該当する表示部２２（２２ａ〜２２ｄ）の色を変更するものであっても良いし、また、該当する表示部２２（２２ａ〜２２ｄ）を除く他の表示部２２（２２ａ〜２２ｄ）の色を変更するものであっても良い。また、この色変更は、ピクト２３（２３ａ〜２３ｄ）に関しても行っても良いし、また、ピクト２３（２３ａ〜２３ｄ）に対してのみ行っても良い。尚、コントローラ２４と色変更回路２６とで、本発明の「表示制御部」を構成する。
【００４０】
また一方で、制御部３０は、図示しないセンサにより天板１、Ｘ線機器及び投光器の位置情報を取得して、その位置情報をコントローラ２４に送る。コントローラ２４は、制御部３０から送られた天板１、Ｘ線機器及び投光器の位置情報を該当する表示部２２（２２ａ〜２２ｄ）に送る。該当する表示部２２（２２ａ〜２２ｄ）では、コントローラ２４から送られた位置情報に基づいて表示の変更、即ち移動量を表す数値の変更が行われる。
【００４１】
さらに、操作者が操作部２１（２１ａ、２１ｂ、２１ｅ）において操作を終了した場合には、操作部２１からのスイッチ信号が途絶えることで、或いは、制御部３０からの位置情報に基づいて、コントローラ２４が操作の終了を判断して、色変更が行われた表示部２２（２２ａ〜２２ｄ）の表示色を元に戻すように色変更回路２６に色変更指示信号を送る。色変更回路２６は、コントローラ２４から送られた色変更指示信号に従って該当する表示部２２（２２ａ〜２２ｄ）の表示色を元に戻すべく、例えば、各表示部２２（２２ａ〜２２ｄ）を構成する７セグメントＬＥＤユニットの赤ＬＥＤ又は緑ＬＥＤに供給される電流の切り替えを行うことで表示色の変更を行う。
【００４２】
このように、当該Ｘ線ＣＴ装置においては、操作部２１（２１ａ、２１ｂ、２１ｅ）における操作に応じて、該当する表示部２２（２２ａ〜２２ｄ）、或いは、該当する表示部２２（２２ａ〜２２ｄ）を除く他の表示色の変更が行われるので、操作者は、他と異なる表示色の表示部２２（２２ａ〜２２ｄ）を直ちに発見することができ、自身が操作を行った動作対象（天板１、Ｘ線機器及び投光器）の位置情報が、表示部２２（２２ａ〜２２ｄ）の何れに表示されているのかを容易に認識することができる。
【００４３】
（例３：点灯表示を行う場合）
図６に、このような表示部２２（２２ａ〜２２ｄ）の表示制御を行うための他の制御構成を示す。同図に示すように、本例においては、操作者が操作部２１（２１ａ、２１ｂ、２１ｅ）において操作を行うと、その操作内容はスイッチ信号としてコントローラ２４に送られる。コントローラ２４は、そのスイッチ信号を制御部３０へ送ると共に、スイッチ信号に対応する表示部２２（２２ａ〜２２ｄ）を点灯表示するように点灯表示回路２７に点灯表示指示信号を送る。尚、此処に言う制御部３０とは、当該Ｘ線ＣＴ装置の全体制御を行うものであって、当該制御構成においては、コントローラ２４から送られたスイッチ信号に基づいて寝台１の駆動部１２及び架台２の駆動部２８の駆動制御を行う。これにより、操作部２１（２１ａ、２１ｂ、２１ｅ）における操作に応じた天板１、Ｘ線機器及び投光器の移動がなされることになる。点灯表示回路２７は、コントローラ２４から送られた点灯表示指示信号に従って該当する表示部２２（２２ａ〜２２ｄ）を点灯表示するべく、例えば、各表示部２２（２２ａ〜２２ｄ）を構成する７セグメントＬＥＤユニットに対して間欠的に電流を供給することで点灯表示を行う。尚、この点灯表示は、該当する表示部２２（２２ａ〜２２ｄ）に対して行っても良いし、また、該当する表示部２２（２２ａ〜２２ｄ）を除く他の表示部２２（２２ａ〜２２ｄ）に対して行っても良い。また、この点灯表示は、ピクト２３（２３ａ〜２３ｄ）に関しても行っても良いし、また、ピクト２３（２３ａ〜２３ｄ）に対してのみ行っても良い。尚、コントローラ２４と点灯表示回路２６とで、本発明の「表示制御部」を構成する。
【００４４】
また一方で、制御部３０は、図示しないセンサにより天板１、Ｘ線機器及び投光器の位置情報を取得して、その位置情報をコントローラ２４に送る。コントローラ２４は、制御部３０から送られた天板１、Ｘ線機器及び投光器の位置情報を該当する表示部２２（２２ａ〜２２ｄ）に送る。該当する表示部２２（２２ａ〜２２ｄ）では、コントローラ２４から送られた位置情報に基づいて表示の変更、即ち移動量を表す数値の変更が行われる。
【００４５】
さらに、操作者が操作部２１（２１ａ、２１ｂ、２１ｅ）において操作を終了した場合には、操作部２１からのスイッチ信号が途絶えることで、或いは、制御部３０からの位置情報に基づいて、コントローラ２４が操作の終了を判断して、点灯表示が行われている表示部２２（２２ａ〜２２ｄ）の点灯を終了させるように点灯表示回路２７に点灯表示終了指示信号を送る。点灯表示回路２６は、コントローラ２４から送られた点灯表示終了指示信号に従って該当する表示部２２（２２ａ〜２２ｄ）の点灯を終了させるべく、例えば、各表示部２２（２２ａ〜２２ｄ）を構成する７セグメントＬＥＤユニットに対して連続的に電流を供給することで点灯を終了させる。
【００４６】
このように、当該Ｘ線ＣＴ装置においては、操作部２１（２１ａ、２１ｂ、２１ｅ）における操作に応じて、該当する表示部２２（２２ａ〜２２ｄ）、或いは、該当する表示部２２（２２ａ〜２２ｄ）を除く他のものに対して点灯表示が行われるので、操作者は、点灯している表示部２２（２２ａ〜２２ｄ）を直ちに発見することができ、自身が操作を行った動作対象（天板１、Ｘ線機器及び投光器）の位置情報が、表示部２２（２２ａ〜２２ｄ）の何れに表示されているのかを容易に認識することができる。
【００４７】
［第二の実施形態］
本実施形態では、図１に示すＸ線ＣＴ装置の操作パネル２０（本実施形態においては、操作パネル４０）に関して、第一の実施形態と異なる構成としたＸ線ＣＴ装置について説明する。
【００４８】
図７に、当該Ｘ線ＣＴ装置の操作パネル４０の詳細構成を表す正面図を示す。同図に示すように、操作パネル４０は、Ｘ線機器の傾斜角度（チルト角度）を調整するＸ線機器操作部４１ａと、投光器の傾斜角度（チルト角度）を調整する投光器操作部４１ｂと、天板１１の水平移動及び垂直移動を行う天板操作部４１ｅとを備える操作部４１と、これら操作部４１（４１ａ、４１ｂ、４１ｅ）に対応して、各々の動作対象であるＸ線機器、天板１１及び投光器に関する位置情報を表示する表示部４２（４２ａ〜４２ｃ等）とから構成されている。このような構成により、操作者は、操作部４１（４１ａ、４１ｂ、４１ｅ）における操作に応じて、直ちにＸ線機器、天板１１及び投光器に関する位置情報４２ａ〜４２ｃを確認することができるようになっている。尚、操作部４１（４１ａ、４１ｂ、４１ｅ）は、押しボタンスイッチ等の操作スイッチにより構成される。また、表示部４２は、液晶パネル等の表示器により構成され、Ｘ線機器、天板１１及び投光器に関する位置情報４２ａ〜４２ｃを一括して表示する。また、操作部４１には、この他にも、例えば被検体に対して呼吸に関する音声ガイド等を行うためのボイストレーニングボタン、天板１１を最上位置まで上昇させる天板上昇ボタン、天板１１を最下位置まで下降させる天板下降ボタン等の各種ボタン４１ｆを設けている。尚、Ｘ線機器のチルト角度は、本発明の「架台のチルト角度」に対応する。
【００４９】
このように、当該Ｘ線ＣＴ装置においても、操作パネル４０の操作部４１（４１ａ、４１ｂ、４１ｅ）と表示部４２とが各々密集して配置されるので、操作部の構成に自由度を持たせることができ、例えば、本例のように天板１１の水平移動を行う操作部と天板１１の垂直移動を行う操作部とを１つの天板操作部４１ｅとして十字配列のキーにより構成することで、天板１１の水平移動と垂直移動とを連続して行うことが可能となり、操作部４１の操作性をより向上させることができる。
【００５０】
また、表示部４２においては、動作対象となるＸ線機器、天板１１及び投光器を絵文字等により表したピクト４３（４３ａ〜４３ｃ）が併せて表示され、操作者が操作部４１（４１ａ、４１ｂ、４１ｅ）の操作を行う際に、その動作対象（Ｘ線機器、天板１１及び投光器）の位置情報４２ａ〜４２ｃが表示部４２の何れの部分に表示されているのかを認識し易くする配慮がなされている。尚、ピクト４３（４３ａ〜４３ｃ）は、本発明の「印」に対応する。
【００５１】
さらに、本例においては、表示部４２が液晶パネルにより構成されることから、動作対象であるＸ線機器、天板１１及び投光器に関する位置情報４２ａ〜４２ｃを、各動作軸の移動量として数値表示することに加えて、動作対象であるＸ線機器、天板１１及び投光器の当該Ｘ線ＣＴ装置における位置、及び、その移動方向に関する情報を併せてイメージ画像４４として表示する。
【００５２】
但し、このイメージ画像４４上では、操作部４１における操作に応じて、動作対象物（Ｘ線機器、天板１１及び投光器）及びその移動方向の表示態様を変化させることとする。具体的には、動作対象物（Ｘ線機器、天板１１及び投光器）の移動方向を点灯表示したり、色を異ならせて表示したりする。尚、このイメージ画像４４は、本発明の「画像」に対応する。
【００５３】
このように、動作対象であるＸ線機器、天板１１及び投光器の当該Ｘ線ＣＴ装置における位置、及び、その移動方向に関する情報を表示部４２にイメージ画像４４として併せて表示することで、さらに、操作部４１における操作に応じて、このイメージ画像４４上の動作対象物（Ｘ線機器、天板１１及び投光器）の移動方向の表示態様を変化させることで、操作者は、操作部４１において操作を行う際に、表示部４２の動作対象（Ｘ線機器、天板１１及び投光器）に関する位置情報をより容易に認識することができる。
【００５４】
また、当該Ｘ線ＣＴ装置においても、操作部４１（４１ａ、４１ｂ、４１ｅ）における操作に応じて、表示部４２の動作対象に関する位置情報、或いは、動作対象を除く他の位置情報の表示態様を変更、即ち、強調表示するものとする。尚、この強調表示は、前述したように、輝度の変更、表示色の変更、点灯表示等により行う。
【００５５】
図８に、このような表示部４２の表示制御を行うための一制御構成を示す。同図に示すように、本例においては、操作者が操作部４１（４１ａ、４１ｂ、４１ｅ）において操作を行うと、その操作内容はスイッチ信号としてコントローラ４５に送られる。コントローラ４５は、そのスイッチ信号を制御部３０へ送ると共に、スイッチ信号に対応する表示部４２（４２ａ〜４２ｃ）の表示態様を変更（輝度の変更、表示色の変更、点灯表示等）させる。尚、此処に言う制御部３０とは、当該Ｘ線ＣＴ装置の全体制御を行うものであって、当該制御構成においては、コントローラ４５から送られたスイッチ信号に基づいて寝台１の駆動部１２及び架台２の駆動部２８の駆動制御を行う。これにより、操作部４１（４１ａ、４１ｂ、４１ｅ）における操作に応じた天板１、Ｘ線機器及び投光器の移動がなされることになる。さらに、本実施形態においては、前述のように、イメージ画像４４上の動作対象物（Ｘ線機器、天板１１及び投光器）及びその移動方向に関しても表示態様の変更（輝度の変更、表示色の変更、点灯表示等）を行う。尚、この表示態様の変更は、該当する位置情報に対して行うものであっても良いし、また該当する位置情報を除く他の位置情報に対して行うものであっても良い。また、この表示態様の変更は、ピクト４３に関しても行っても良いし、また、ピクト４３とイメージ画像４４上の動作対象物（Ｘ線機器、天板１１及び投光器）及びその移動方向に関してのみ行っても良い。尚、コントローラ２４は、本発明の「表示制御部」に対応する。
【００５６】
また一方で、制御部３０は、図示しないセンサにより天板１、Ｘ線機器及び投光器の位置情報を取得して、その位置情報をコントローラ４５に送る。コントローラ４５は、制御部３０から送られた天板１、Ｘ線機器及び投光器の位置情報に基づいて該当する表示部２２（２２ａ〜２２ｄ）の表示変更、即ち移動量を表す数値等の変更を行う。
【００５７】
さらに、操作者が操作部４１（４１ａ、４１ｂ、４１ｅ）において操作を終了した場合には、操作部４１からのスイッチ信号が途絶えることで、或いは、制御部３０からの位置情報に基づいて、コントローラ４５が操作の終了を判断して、表示態様の変更を行った表示部４２（４２ａ〜４２ｃ）の表示態様を元に戻す。
【００５８】
このように、当該Ｘ線ＣＴ装置においては、操作部４１（４１ａ、４１ｂ、４１ｅ）における操作に応じて、表示部４２の該当する位置情報、或いは、該当する位置情報を除く他の位置情報の表示態様の変更が行われるので、操作者は、他と表示態様の異なる位置情報を直ちに発見することができ、自身が操作を行った動作対象（天板１、Ｘ線機器及び投光器）の位置情報を容易に認識することができる。
【００５９】
さらに、当該Ｘ線ＣＴ装置においては、動作対象であるＸ線機器、天板１１及び投光器等の当該Ｘ線ＣＴ装置における位置、及び、その移動方向に関する情報が表示部４２にイメージ画像４４として併せて表示され、さらに、操作部４１における操作に応じて、このイメージ画像４４上の動作対象物（Ｘ線機器、天板１１及び投光器）の移動方向の表示態様の変更がなされるので、操作者は、操作部４１において操作を行う際に、表示部４２の動作対象に関する位置情報をより容易に認識することができる。
【００６０】
尚、第一の実施形態及び第二の実施形態におけるＸ線ＣＴ装置では、操作パネルが操作部と表示部の双方から構成されるものとしたが、例えば、表示部と操作部とは、互いに架台上の離れた位置に設けられても良い。また、表示部のみが架台に設けられ、操作部は架台とは別の部分（例えば、寝台等）に設けられても良い。
【００６１】
また、第一の実施形態及び第二の実施形態におけるＸ線ＣＴ装置の寝台と天板との駆動構成、及び、架台のＸ線機器及び投光器との駆動関係は、一構成例を例示したものに過ぎず、他の構成を除外するものではない。例えば、これらの動作軸の構成は、他の動作軸を含む構成であっても良いし、一部を抽出した構成であっても良い。また、架台による投光器の駆動構成等が省かれた構成であっても良い。
【００６２】
【発明の効果】
以上に説明したように、本発明に係るＸ線ＣＴ装置によれば、操作部における操作に応じて、表示部の動作対象に関する位置情報、或いは、動作対象を除く他の位置情報の表示態様が変更、即ち、強調表示されるので、操作者が操作部において操作を行う際に、容易に動作対象に関する位置情報を認識することができる。
【図面の簡単な説明】
【図１】本発明に係るＸ線ＣＴ装置の一実施形態における全体構成を表す斜視図である。
【図２】図１に示すＸ線ＣＴ装置の操作パネルの詳細構成を表す正面図である。
【図３】図２に示す操作パネルの表示部における表示態様を輝度変更により行うための制御構成を表すブロックである。
【図４】図２に示す操作パネルの表示部を構成する７セグＬＥＤユニットの輝度を変更するための具体的な構成を説明するための説明図である。
【図５】図２に示す操作パネルの表示部における表示態様を表示色変更により行うための制御構成を表すブロックである。
【図６】図２に示す操作パネルの表示部における表示態様を点灯表示により行うための制御構成を表すブロックである。
【図７】図２に示す操作パネルの他の構成例を表す正面図である。
【図８】図７に示す操作パネルの表示部における表示態様を変更させるための制御構成を表すブロックである。
【図９】従来のＸ線ＣＴ装置の全体構成を表す斜視図である。
【図１０】図９に示す、従来のＸ線ＣＴ装置の操作パネルの詳細構成を表す正面図である。
【符号の説明】
１  寝台
２  架台
１２  駆動部
２０  操作パネル
２１  操作部
２２  表示部
２４  コントローラ
２５  輝度変更回路
２７  表示部
２８  駆動部
３０  制御部
【図１】
2004147983.tif 000003
【図２】
2004147983.tif 000004
【図３】
2004147983.tif 000005
【図４】
2004147983.tif 000006
【図５】
2004147983.tif 000007
【図６】
2004147983.tif 000008
【図７】
2004147983.tif 000009
【図８】
2004147983.tif 000010
【図９】
2004147983.tif 000011
【図１０】
2004147983.tif 000012